(57)【要約】【課題】本発明は、電子表示インターフェースを利用して、電子写真を閲覧や選択でき、また、選択した画像をプリントでき、そして、フォトフレームや装飾品として、壁や机に飾ることができ、より実用的である電子フォトアルバムプリンターを提供する。【解決手段】本体と駆動機構、用紙入れ及びプリントユニットが含まれるプリント装置と、電子フォトフレームとが備えられ、駆動機構と用紙入れ及びプリントユニットは、本体内に設置され、電子フォトフレームは、フレームとディスプレーとが含まれ、ディスプレーは、フレーム上に設置され、プリント装置の本体に結合され、これにより、機能上、電子フォトフレームとプリンターとが結合され、任意に写真を選択して閲覧やプリントできる電子フォトアルバムプリンターである。【選択図】図１
2008260261.tif 000002
【特許請求の範囲】
【請求項１】
プリント装置と電子フォトフレームとで構成された電子フォトアルバムプリンターであって、
前記プリント装置は、本体と、本体に含まれるプリントユニットで構成され、
前記電子フォトフレームが、前記プリント装置の前記本体に結合され、
前記電子フォトフレームは、フレームと、フレーム上に設置されたディスプレイとで構成されていること
を特徴とする電子フォトアルバムプリンター。
【請求項２】
前記本体内に、ケーシングとペーパー送りローラー、インクリボン供給軸及びインクリボン収集軸が含まれる用紙入れが設置され、ペーパー送りローラーと、インクリボン供給軸と、インクリボン収集軸が、回転可能なように、ケーシングの内部に枢着され、ペーパー送りローラーとインクリボン収集軸とが、駆動機構に接続されることを特徴とする請求項１に記載の電子フォトアルバムプリンター。
【請求項３】
前記本体の一側に、前記用紙入れに対応する取り扱い口が設けられることを特徴とする請求項２に記載の電子フォトアルバムプリンター。
【請求項４】
前記駆動機構は、モーターとギアセット、写真印画紙伝動軸及びインクリボン伝動軸が備えられ、ギアセットが、モーターと写真印画紙伝動軸及びインクリボン伝動軸との間に設置され、ペーパー送りローラーとインクリボン収集軸が、それぞれ、駆動機構の写真印画紙伝動軸とインクリボン伝動軸に接続されることを特徴とする請求項２に記載の電子フォトアルバムプリンター。
【請求項５】
前記本体は、内部に、紙裁断機が設けられることを特徴とする請求項１に記載の電子フォトアルバムプリンター。
【請求項６】
前記本体は、内部に運搬機構が設けられ、運搬機構に、複数の紙送りローラーがあり、本体に、運搬機構に対応する紙出口があることを特徴とする請求項１に記載の電子フォトアルバムプリンター。
【請求項７】
前記本体は、内部に回路ユニットが設置され、前記プリントユニットと前記ディスプレーが、回路ユニットに電気的に接続されることを特徴とする請求項１に記載の電子フォトアルバムプリンター。
【請求項８】
前記回路ユニットは、更に、回路板と少なくとも一つの回路板に電気的に接続された接続ポートが含まれることを特徴とする請求項７に記載の電子フォトアルバムプリンター。
【請求項９】
前記回路ユニットは、更に、少なくとも一つの回路板に電気的に接続されたコネクタが含まれることを特徴とする請求項８に記載の電子フォトアルバムプリンター。
【請求項１０】
前記コネクタは、メモリカードコネクタやユニバーサルシリアルバスコネクタであることを特徴とする請求項９に記載の電子フォトアルバムプリンター。
【発明の詳細な説明】
【技術分野】
【０００１】
本発明は、電子フォトアルバムプリンターに関し、特に、独自に作動でき、他の電子製品に接続されることに依存しなく、機能的に、電子フォトフレームとプリンターが結合され、任意に写真を選択して閲覧することができるだけでなく、プリントすることもできる電子フォトアルバムプリンターに関する。
【背景技術】
【０００２】
電子フォトフレームは、技術の発展とともに、登場した電子製品であり、従来の電子フォトフレームは、従来のフォトフレームの代りに、ディスプレー（例えば、液晶ディスプレー）で、ディジタル写真を表示する。例えば、２００５年１２月１１日に公告された台湾特許：Ｍ２８２５９４号に掲示された「日期予約機能付きの電子フォトフレーム」実用新案がある。
【０００３】
しかしながら、従来の電子フォトフレームは、プリンターの機能がないため、写真をプリントする場合、プリンターに接続することが必要になり、また、外出して店に写真を出力してプリントする場合、すぐに写真を手にすることができなく、ユーザーにとって不便である。現在、写真プリンターが登場したが、従来の写真プリンターは、電子フォトフレームの機能を有しないため、使用上に不便がある。
【０００４】
本発明者は、上記の欠点を改善すべく、設計が合理的で、有効に、上記の欠点を改善できる本発明を提案する。
【特許文献１】台湾実用新案Ｍ２８２５９４号
【発明の開示】
【発明が解決しようとする課題】
【０００５】
本発明の主な目的は、電子表示インターフェースを利用して、電子写真を閲覧や選択でき、また、選択した画像をプリントでき、そして、フォトフレームや装飾品として、壁や机に飾ることができ、より実用的である電子フォトアルバムプリンターを提供する。
【０００６】
本発明は、上記の目的を達成するためになされたものであり、プリント装置と電子フォトフレームとで構成された電子フォトアルバムプリンターであって、前記プリント装置は本体と、本体に含まれるプリントユニットで構成され、前記電子フォトフレームはフレームと、フレーム上に設置されたディスプレイとで構成され、前記電子フォトフレームが、前記プリント装置の前記本体に結合されたことを特徴とする、電子フォトアルバムプリンターである。
【課題を解決するための手段】
【０００７】
本発明によれば、電子フォトフレームとプリント装置とを結合することにより、機能上、電子フォトフレームとプリンターとが結合され、電子フォトアルバムプリンターにより、フォトアルバムと同じように、電子表示インターフェースを利用して電子写真を閲覧や選択でき、また、選択した画像をプリントでき、そして、フォトフレームや装飾品として、壁や机に飾ることができる利点が得られる。
【０００８】
本発明は、特に、用紙入れとプリント装置とを一体的に形成するため、体積が小さくてスペースを取らず、また、電子フォトアルバムプリンターが、任意の方向に設置してもプリントできる利点が得られる。
【０００９】
以下、図面を参照しながら、本発明の特徴や技術内容について、詳しく説明するが、本発明は、それによって制限されるものではない。
【発明を実施するための最良の形態】
【００１０】
図１乃至図５は、本発明に係わる電子フォトアルバムプリンターであり、プリント装置１と電子フォトフレーム２とが備えられ、プリント装置１は、本体１１と駆動機構１２、用紙入れ１３、プリントユニット１４、紙裁断機１５及び運搬機構１６が備えられ、本体１１は、中空であるケーシングで、内部に、収納空間１１１が形成され、収納空間１１１に、駆動機構１２や用紙入れ１３、プリントユニット１４、紙裁断機１５及び運搬機構１６等の装置を容納と固定するための架台１１４が設置される。
【００１１】
駆動機構１２は、本体１１の収納空間１１１の内部に位置する架台１１４の一側に設置され、モーター（図に未表示）やギアセット（図に未表示）、写真印画紙伝動軸１２３及びインクリボン伝動軸１２４が含まれ、モーターは、動力源であり、ギアセットは、モーターと写真印画紙伝動軸１２３及びやインクリボン伝動軸１２４との間に設置される。モーターを回転するように駆動する時、モーターの動力は、ギアセットを介して、それぞれ、写真印画紙伝動軸１２３とインクリボン伝動軸１２４に伝達され、写真印画紙伝動軸１２３とインクリボン伝動軸１２４も回転するようになる。
【００１２】
用紙入れ１３は、本体１１の収納空間１１１内部に位置する架台１１４上に設置され、本体１１と架台１１４の一側に、用紙入れ１３を取り出しや置き入れをするための、用紙入れ１３に対応する取り扱い口１１２が設けられる。用紙入れ１３は、ケーシング１３１とペーパー送りローラー１３２、インクリボン供給軸１３３及びインクリボン収集軸１３４が含まれ、ペーパー送りローラー１３２は、円形である中空筒体であり、内部に、ロール状の写真印画紙がセットされ、写真印画紙を送り出し、また、回転可能にケーシング１３１の内部に枢着され、その一端が、駆動機構１２の写真印画紙伝動軸１２３に接続され、これにより、写真印画紙伝動軸１２３によりペーパー送りローラー１３２が回転するように連動され、ペーパー送りローラー１３２の内部に位置する写真印画紙が、送り出される。
【００１３】
インクリボン供給軸１３３とインクリボン収集軸１３４は、回転可能に、ケーシング１３１の内部に枢着され、ロール状のインクリボンが実装され、インクリボンのもう一端が、インクリボン収集軸１３４に巻き付けられ、インクリボン収集軸１３４の一端は、駆動機構１２のインクリボン伝動軸１２４に接続され、これにより、インクリボン伝動軸１２４により、インクリボン収集軸１３４が回転するように連動され、そのため、インクリボン供給軸１３３上のインクリボンが、前へ向かって運搬され、そして、インクリボン収集軸１３４上に巻き付く。
【００１４】
プリントユニット１４は、本体１１の収納空間１１１の内部に位置する架台１１４上に設置され、サーマルプリンターヘッド（thermal printer head）１４１があり、サーマルプリンターヘッド１４１は、インクリボン供給軸１３３とインクリボン収集軸１３４との間に位置し、瞬間加熱により、インクリボンで熱転写を行い、熱転写により三原色を写真印画紙上に写し、カラー写真を形成してから一層の保護膜を被覆する。サーマルプリンターヘッド１４１は、放熱シート１４２と放熱ファン１４３が実装され、サーマルプリンターヘッド１４１の放熱に補助する。
【００１５】
紙裁断機１５は、本体１１の収納空間１１１の内部に位置する架台１１４上に設置され、プリントユニット１４のサーマルプリンターヘッド１４１に隣接し、写真印画紙を裁断して、一枚の写真印画紙を形成する。
【００１６】
運搬機構１６は、本体１１の収納空間１１１の内部に位置する架台１１４上に設置され、プリントユニット１４において、用紙入れ１３の反対側に位置し、複数の紙送りローラー１６２があり、それらの紙送りローラー１６２が、適当に、駆動機構１２に接続され、駆動機構１２により、紙送りローラー１６２が回転するように連動されて、プリント済みの写真を運搬する。本体１１は、プリント済みの写真を送り出すための、運搬機構１６に対応する紙出口１１３がある。
【００１７】
本体１１の内部に、更に、回路ユニット１７が設置され、回路ユニット１７は、回路板１７１と、少なくとも一つの回路板１７１に電気的に接続される接続ポート１７２と（図４のように）が含まれ、本実施例において、複数の接続ポート１７２を設置するものを例とし、それらの接続ポート１７２は、それぞれ、電源や、他の電子装置などと接続するための画像ファイル取得手段たる差込口であり、例えば、テレビやディジタルカメラを接続するための差込口である。駆動機構１２とプリントユニット１４は、回路ユニット１７に電気的に接続される。
【００１８】
電子フォトフレーム２は、フレーム２１とディスプレー２２とが含まれ、ディスプレー２２は、フレーム２１上に設置され、フレーム２１は、組み立てることや一体成型により、プリント装置１の本体１１に接続され、電子フォトフレーム２とプリント装置１とが、一体的に結合される。フレーム２１は、前方に、複数のボタン２３が設けられ、それらのボタン２３は、モード選択ボタンや上下左右へ移動するための移動ボタン或いは入力ボタン等とすることができる。
【００１９】
ディスプレー２２は、電子表示インターフェースとする、液晶ディスプレー（ＬＣＤ）であり、回路ユニット１７に電気的に接続され、また、それらのコネクタ１７２を介して、電子製品に接続され、データをディスプレー２２に伝送してディジタルである写真を表示できる。ディスプレー２２は、タッチ式スクリーンでもよく、タッチ方式により操作できるようになる。
【００２０】
電子フォトフレーム２は、少なくとも一つのメモリカードコネクタ２４が設置され、メモリカードコネクタ２４は、回路ユニット１７に電気的に接続され、これにより、メモリカードを、メモリカードコネクタ２４にセットして、データをディスプレー２２に伝送してディジタルである写真を表示できる。メモリカードコネクタ２４は、ユニバーサルシリアルバス(Universal Serial Bus、  USB)コネクタでもよく、キーホルダードライブをセットできる。ディスプレー２２は、持続的に再生する機能を有し、写真をプリントしない時、ディスプレー２２が、自動的にメモリカードに格納された写真を再生でき、上記の構造により、本発明に係わる電子フォトアルバムプリンターが構成される。
【００２１】
本発明は、電子フォトフレーム２とプリント装置１とを結合することにより、独自に稼動でき、他の電子製品に接続されることに依存せず、機能上、電子フォトフレームとプリンターとが結合され、電子フォトアルバムプリンターは、フォトアルバムと同じように、電子表示インターフェース（ディスプレー２２）により、電子写真を閲覧や選択でき、また、選択した画像を、プリントでき、そして、フォトフレームや装飾品として、壁や机に飾ることができる。本発明に係わる電子フォトアルバムプリンターは、音楽や放送を再生する機能を有してもよい。
【００２２】
本発明に係わる電子フォトアルバムプリンターによれば、自分で、個人や家庭の写真をプリントでき、また、商業として、商品展示に適用でき、また、即時に且つ快速的に写真をプリントでき、外出して写真の出力を依頼することが必要しなく、また、即時に写真をプリントできるため、より実用的な製品である。
【００２３】
本発明は、用紙入れ１３とプリント装置１と一体的にするため、体積が小さくて空間を取らなく、また、電子フォトアルバムプリンターは、任意の方向に設置してもプリントできるから、既存の写真プリンターのように、用紙入れと主機とが分離されて、大きいスペースを取り、そして、上へ向かって設置しないとプリントできない問題を解消できる。
【００２４】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００２５】
【図１】本発明に係わる電子フォトアルバムプリンターの立体分解図
【図２】本発明に係わる電子フォトアルバムプリンターの立体図
【図３】本発明に係わる電子フォトアルバムプリンターの上面図
【図４】本発明に係わる電子フォトアルバムプリンターの側面図
【図５】本発明に係わる電子フォトアルバムプリンターの断面図
【符号の説明】
【００２６】
１      プリント装置
１１    本体
１１１  収納空間
１１２  取り扱い口
１１３  紙出口
１１４  架台
１２    駆動機構
１２３  写真印画紙伝動軸
１２４  インクリボン伝動軸
１３    用紙入れ
１３１  ケーシング
１３２  ペーパー送りローラー
１３３  インクリボン供給軸
１３４  インクリボン収集軸
１４    プリントユニット
１４１  サーマルプリンターヘッド
１４２  放熱シート
１４３  放熱ファン
１５    紙裁断機
１６    運搬機構
１６２  紙送りローラー
１７    回路ユニット
１７１  回路板
１７２  接続ポート
２      電子フォトフレーム
２１    フレーム
２２    ディスプレー
２３    ボタン
２４    メモリカードコネクタ
【図１】
2008260261.tif 000003
【図２】
2008260261.tif 000004
【図３】
2008260261.tif 000005
【図４】
2008260261.tif 000006
【図５】
2008260261.tif 000007